(57)【特許請求の範囲】
【請求項１】
１フレームの画像を表示時刻の異なる複数のサブフィールドに分割し、各サブフィールドにおける表示及び非表示を画素単位で選択可能であり、各サブフィールドにおける輝度と発光時間との積である発光量を、複数のサブフィールドで合計することにより階調を表現するプラズマディスプレイ装置であって、
特定の階調に対し、それを表現するために、上記複数のサブフィールドの内の何れのサブフィールドを表示させるかの組み合わせを少なくとも２種類以上有し、
上記特定の階調を表現する場合に、上記２種類以上の組み合わせの中から１つを選択する選択手段を備え、
上記選択手段は、上記表示しようとする画素の階調の表現として、当該画素と当該画素の周辺に存在する複数の画素とで、発光または非発光の共通するサブフィールドが多くなるように上記２種類以上の組み合わせの中から１つを選択することを特徴とするプラズマディスプレイ装置。
【請求項２】
請求項１に記載のプラズマディスプレイ装置であって、
上記選択手段は、上記表示しようとする画素の階調の表現として、上記２種類以上の組み合わせの中から、上記周辺に存在する複数の画素の中で同じ階調を表現する画素のうち最も画素数が多い画素と、発光または非発光が共通するサブフィールドの多い組み合わせを選択することを特徴とするプラズマディスプレイ装置。
【請求項３】
１フレームの画像を表示時刻の異なる複数のサブフィールドに分割し、各サブフィールドにおける表示及び非表示を画素単位で選択可能であり、各サブフィールドにおける輝度と発光時間との積である発光量を、複数のサブフィールドで合計することにより階調を表現するプラズマディスプレイ装置であって、
特定の範囲の階調に属する画素を、上記特定の範囲内に属する他の階調に画素毎に独立して変換する階調変換手段を備え、
上記階調変換手段は、表示しようとする画素を、当該画素と当該画素の周辺に存在する複数の画素とで、発光または非発光の共通するサブフィールドが多くなるように、上記特定の範囲の階調の画素に変換することを特徴とするプラズマディスプレイ装置。
【請求項４】
請求項３に記載のプラズマディスプレイ装置であって、
上記変換手段は、上記表示しようとする画素と階調が上記特定の範囲である隣接画素とで、発光または非発光の共通する最も発光時間の長いサブフィールドが多くなるように、上記表示しようとする画素の階調を変換することを特徴とするプラズマディスプレイ装置。
【発明の詳細な説明】
【０００１】
【発明の属する技術分野】
本発明は、画像の表示装置に関する。
【０００２】
【従来の技術】
例えば、プラズマディスプレイ装置のような画像表示装置は、ブラウン管と異なり、各画素の発光強度を任意に変化させることができない。そこで、人間の目の積分効果を利用し、階調に応じて発光時間を変化させることにより階調を表現している。
【０００３】
ところが、プラズマディスプレイ装置の場合、発光は面単位で同時に行われる。すなわち、１回の発光で各画素単位に発光させるかさせないかを選択することは可能だが、各画素単位で発光時間を細かく変化させることは困難である。
【０００４】
そこで、例えば「映像情報メディア学会誌」Ｖｏｌ．５１，Ｎｏ．４（１９９７），ｐｐ．４６４〜４６９の“ＰＤＰの動画質と信号処理”に記載されているように、このような表示装置においては、各画素毎に異なる階調の表示を行わせるため以下に示すような方法が用いられている。
【０００５】
つまり、図１０に示すように、１フレームの画像を複数のサブフィールドに分割する（図１０の場合は、サブフィールド番号０〜７の８つ）。そして、それぞれのサブフィールドには所定の長さの発光時間が割り当てられている（Ｔ、２Ｔ、・・・、６４Ｔ、１２８Ｔ）。また、それぞれのサブフィールドの発光／非発光は画像の各画素単位で選択可能である。
【０００６】
そして、各画素の階調に応じて、必要なサブフィールドのみ選択的に発光させることにより各画素毎に異なる階調の表示を実現している。
【０００７】
【発明が解決しようとする課題】
ところが、上述のようなサブフィールド分割による階調表示を行うと、静止画像を表示する場合は問題は無いが、動画像を表示した場合には疑似輪郭と呼ばれる妨害が生じる。
【０００８】
それを図１１を用いて以下に説明する。
図１１の（ａ）は静止画像を表し、図１１の（ｂ）及び（ｃ）は動画像を表す。この図１１においては、説明の簡単のため、サブフィールドを４つとし、図の上方がＬＳＢ側で下方側がＭＳＢ側となっている。また、図１１の（ａ）、（ｂ）、（ｃ）のそれぞれにおいて、互いに隣接する２つの画素の階調の表示例を示している。そして、図の隣接した領域はわずかに階調が異なっている。
【０００９】
図１１の（ａ）の場合、つまり静止画像の場合は、隣接した領域の階調がわずかに異なっているため、ＭＳＢ側の発光／非発光が変化し、発光するサブフィールドのパターンが大きく変化している。しかしながら、各サブフィールドの合計として知覚されるフレーム画像は階調に応じた正しい画像となっている。
【００１０】
一方、図１１の（ｂ）及び（ｃ）の場合、つまり動画像の場合は、適当な速度で画像が動いているので、人間の目はそれに追従しようとする性質がある。その結果、表示時刻にわずかずつ差がある各サブフィールドの画像が、本来の位置からわずかずつずれて知覚され、各サブフィールドの合計として知覚されるフレーム画像に図１１の（ｂ）及び（ｃ）に示すような余分な間違った画像情報が生じる。
【００１１】
つまり、図１１の（ｂ）の場合は、隣接する画素の境界部分の発光量が、正確な画像の場合より大となる。また、図１１の（ｃ）の場合は、隣接する画素の境界部分の発光量が、正確な画像の場合より小となる。これが疑似輪郭妨害である。
【００１２】
以上のように、サブフィールド分割により階調表示を行うと、動画像の表示時に疑似輪郭妨害を発生して画質の著しい低下を招く場合があるという問題点がある。
【００１３】
本発明の目的は、１フレームの画像を複数のサブフレームに分割し、各画素の階調に応じて、必要なサブフィールドのみ選択的に発光させて各画素毎に異なる階調を表現する画像表示装置において、疑似輪郭妨害の発生を抑制可能な画像表示装置を実現することである。
【００１４】
【課題を解決するための手段】
（１）上記目的を達成するため、本発明は次のように構成される。すなわち、１フレームの画像を表示時刻の異なる複数のサブフィールドに分割し、各サブフィールドにおける表示及び非表示を画素単位で選択可能であり、各サブフィールドにおける輝度と発光時間との積である発光量を、複数のサブフィールドで合計することにより階調を表現するプラズマディスプレイ装置であって、特定の階調に対し、それを表現するために、上記複数のサブフィールドの内の何れのサブフィールドを表示させるかの組み合わせを少なくとも２種類以上有し、上記特定の階調を表現する場合に、上記２種類以上の組み合わせの中から１つを選択する選択手段を備え、上記選択手段は、上記表示しようとする画素の階調の表現として、当該画素と当該画素の周辺に存在する複数の画素とで、発光または非発光の共通するサブフィールドが多くなるように上記２種類以上の組み合わせの中から１つを選択する。
【００１５】
（２）好ましくは、上記（１）において、上記選択手段は、上記表示しようとする画素の階調の表現として、上記２種類以上の組み合わせの中から、上記周辺に存在する複数の画素の中で同じ階調を表現する画素のうち最も画素数が多い画素と、発光または非発光が共通するサブフィールドの多い組み合わせを選択する。
【００１７】
（３）１フレームの画像を表示時刻の異なる複数のサブフィールドに分割し、各サブフィールドにおける表示及び非表示を画素単位で選択可能であり、各サブフィールドにおける輝度と発光時間との積である発光量を、複数のサブフィールドで合計することにより階調を表現するプラズマディスプレイ装置であって、特定の範囲の階調に属する画素を、上記特定の範囲内に属する他の階調に画素毎に独立して変換する階調変換手段を備え、上記階調変換手段は、表示しようとする画素を、当該画素と当該画素の周辺に存在する複数の画素とで、発光または非発光の共通するサブフィールドが多くなるように、上記特定の範囲の階調の画素に変換する。
【００１８】
（４）好ましくは、上記（３）において、上記変換手段は、上記表示しようとする画素と階調が上記特定の範囲である隣接画素とで、発光または非発光の共通する最も発光時間の長いサブフィールドが多くなるように、上記表示しようとする画素の階調を変換する。
【００２０】
上記（１）〜（４）に示すような構成とすることにより、隣接する画素間の階調表現の差異を抑制することができ、疑似輪郭妨害の発生を抑制可能なプラズマディスプレイ装置を実現することができる。
【００２１】
【発明の実施の形態】
図１は、本発明の第１の実施形態である画像表示装置の要部構成図であり、図２は、上記第１の実施形態である画像表示装置の全体概略構成図である。なお、この第１の実施形態は、本発明をプラズマディスプレイ装置に適用した場合の例である。
【００２２】
図２において、プラズマディスプレイ装置１に入力された画像信号は、各フレーム毎に、サブフィールド化処理部２においてサブフィールドに分割される。サブフィールド化処理部２でサブフィールド化された信号は、駆動回路３に入力され、駆動回路３は、各サブフィールド毎にディスプレイパネル４に発光を行わせる。
【００２３】
図１は、サブフィールド化処理部２の内部ブロック図である。入力された画像信号は、メモリ２３に供給されるとともに、サブフィールド候補計算部２２に供給される。そして、サブフィールド候補計算部２２において、各サブフィールド毎の重みづけを考慮して、サブフィールド分割が行われる。
【００２４】
一般に、あらかじめ各サブフィールドに割り当てる発光時間の比を適切に選択することにより、入力される画像信号の特定の階調に対して、それを表現するためのサブフィールドの割り当て方を二通り以上にすることができる。
【００２５】
例えば、図３に示すように、１フレームの画像を８つのサブフィールド（ＳＦ０〜ＳＦ７）で表現する場合を考える。ここで、各サブフィールドの発光時間の比が仮に図３の（ａ）に示すように１、２、４、８、・・・、１２８のように２のべき乗であったとすると、ある値を表現するために使用するサブフィールドの組はただ一通りに決まる。
【００２６】
しかし、各サブフィールドの発光時間の比を、図３の（ｂ）に示すように、（１、２、４、７、１４、２８、５６、１１２）と選ぶと、例えば７という値を表現するためには、サブフィールドＳＦ０、ＳＦ１、ＳＦ２を選択する方法と、サブフィールドＳＦ３のみを選択する方法の二通りがある。
【００２７】
同様に、１４、２８、５６、１１２等の各値を表現するサブフィールドの組み合わせも、それぞれ二通りずつ存在する。すなわち、例えば、１４の場合は、サブフィールド（ＳＦ０、ＳＦ１、ＳＦ２、ＳＦ３）とサブフィールドＳＦ１４との２通りある。また、２８の場合は、サブフィールド（ＳＦ０、ＳＦ１、ＳＦ２、ＳＦ３、ＳＦ４）とサブフィールドＳＦ５との２通りある。
【００２８】
本発明の第１の実施形態では、図３の（ｂ）に示した重みづけを用いている。
【００２９】
図１において、サブフィールド候補計算部２２は、入力される画像信号の特定の階調に対して、それを表現するためのサブフィールドの割り当て方が一種類しか存在しない場合は、それを出力する。また、上記のように二通り存在する場合は、候補１及び候補２として、その両方の組み合わせを出力する。
メモリ部２３では、サブフィールド化処理部２に入力された画素値を記憶する。
【００３０】
サブフィールド割当決定部（選択手段）２４は、上記サブフィールド候補計算部２２から出力されたサブフィールドの割り当て方が、一種類の場合はそれをそのまま出力する。サブフィールド候補計算部２２から出力されたサブフィールドの割り当て方が複数（二通り）ある場合は、その中から１つを選択して出力する。選択はメモリ部２３に記憶されている周辺画素の値を参照して以下のようにして行う。
【００３１】
つまり、図４に示すように、７という値にはこの図４の（ａ）と（ｂ）と二種類の表現方法がある（（ＳＦ０、ＳＦ１、ＳＦ２）、（ＳＦ３））。メモリ部２３から読み出した情報により隣接する領域の値が６であるとすると、仮に動画像における疑似輪郭妨害が生じてもそれが目立ちにくいのはサブフィールドの割り当て方が比較的近い（ａ）のほうである（ＳＦ１及びＳＦ２が、６と７とで共通する）。また、隣接する領域の値が８であるとすると、ＳＦ３が共通する（ｂ）のほうが妨害が目立ちにくい。
【００３２】
以上を考慮して、サブフィールド割当決定部２４では、周辺画素の値から、疑似輪郭妨害の生じにくいほうの割り当て方法を選択する。例えば、表示しようとする画素の複数の周辺画素の中で最も多い画素の値と共通するサブフィールドが多い表示方法を選択する（複数の周辺画素の値が、例えば、６、６、６、６、６、８、８、８であれば、６の表示サブフィールドと共通する表示サブフィールドが多い表示方法を選択する）。
【００３３】
表示しようとする画素の周辺画素のうち、どの画素の値を採用するかについては、上述した方法以外の方法も考えられる。例えば、周辺画素のうち、表示しようとする画素の左右に隣接する画素に、重み付けをして、他の周辺画素と比較し、その中からどれかを採用することもできる。この周辺画素のうち、どれを採用かについては、所定の関数（上述した周辺画素のうちの最も多いものを採用する関数や、重み付けして採用する関数等）として表現することが可能であり、この所定の関数に従って、周辺画素のうちの値を採用し、採用した値と表現が近い方の表示方法を選択する。
【００３４】
以上のように、本発明の第１の実施形態によれば、所定の階調を表現するために、複数のサブフィールドのうちのどのサブフィールドを表示させるかの組み合わせを少なくとも２種類以上有する。そして、所定の階調を表現する場合には、その階調を表現する画素の周辺に位置する画素の値をメモリ部２３に記憶させ、記憶した画素の階調表現と、近い方の組み合わせによる表現をサブフィールド割当決定部２４にて選択する。
【００３５】
従って、隣接する画素間の階調表現の差異を抑制することができ、疑似輪郭妨害の発生を抑制可能な画像表示装置を実現することができる。つまり、この第１の実施形態では、動画像における疑似輪郭妨害を低減したプラズマディスプレイ装置を実現することができる。
【００３６】
次に、本発明の第２の実施形態について説明する。この第２の実施形態の第１の実施形態と異なるところは、サブフィールド化処理部２の部分である。他の部分については第１の実施形態と同様であるので、その説明は省略する。なお、この第２の実施形態も本発明をプラズマディスプレイ装置に適用した場合の例である。
【００３７】
図５は、本発明の第２の実施形態である画像表示装置におけるサブフィールド化処理部２の内部ブロック図である。
図５において、サブフィールド候補計算部２２は、図１におけるサブフィールド候補計算部２２と全く同様の処理を行う。すなわち、入力される画像信号の特定の階調に対して、それを表現するためのサブフィールドの割り当て方が一種類しか存在しない場合はそれを出力する。また、上記のように二通り存在する場合は、その両方の組み合わせを出力する。
【００３８】
乱数発生部２５では、「１」から「サブフィールド候補計算部２２から出力されるサブフィールドの組み合わせの数の最大値」までの間の乱数を発生する。すなわち、この第２の実施形態の場合は、乱数発生部２５は、１または２のいずれかの値を乱数として発生する。
【００３９】
サブフィールド割当決定部２４は、上記サブフィールド候補計算部２２から出力されたサブフィールドの割り当て方が一種類の場合はそれをそのまま出力する。また、サブフィールド候補計算部２２から出力されたサブフィールドの割り当て方が複数（二通り）ある場合は、その中から１つを選択して出力する。選択は上記乱数発生部２５から出力される乱数によって決定する。
【００４０】
つまり、乱数発生部２５から発生される乱数が１の場合は、サブフィールド候補計算部２２から出力されたサブフィールドの割り当てのうち、候補１を選択する。また、乱数発生部２５から発生される乱数が２の場合は、サブフィールド候補計算部２２から出力されたサブフィールドの割り当てのうち、候補２を選択する。
【００４１】
このように、乱数によって、サブフィールドの割り当て方の選択をランダムに、すなわち無作為に行うことにより、仮に疑似輪郭妨害が生じてもそれが分散され、目立ちにくくなる。
【００４２】
以上のように、本発明の第２の実施形態によれば、第１の実施形態と同様に、隣接する画素間の階調表現の差異を抑制することができ、疑似輪郭妨害の発生を抑制可能な画像表示装置であるプラズマディスプレイ装置を実現することができる。
【００４３】
次に、本発明の第３の実施形態について説明する。この第３の実施形態の第１の実施形態と異なるところは、サブフィールド化処理部２の部分である。他の部分については第１の実施形態と同様であるので、その説明は省略する。なお、この第３の実施形態も本発明をプラズマディスプレイ装置に適用した場合の例である。
【００４４】
図６は、本発明の第３の実施形態である画像表示装置におけるサブフィールド化処理部２の内部ブロック図である。
図６において、メモリ部２３では、サブフィールド化処理部２に入力された画素値を記憶する。
【００４５】
階調変換部２６では入力された画像信号に対し、以下に述べる変換を施す。すなわち、入力された画像信号の階調値があらかじめ決められた特定の範囲に属さない場合はその値をそのまま出力し、その特定の範囲に属する場合は、その範囲内における他の階調値に変換する。
【００４６】
図７は、階調変換部２６における入力値と出力値との関係を示したグラフである。例えば、入力の階調値が１２６から１２９までの範囲に属する値であったとすると、出力を１２６から１２９までの範囲の値の中から１つを選択して出力する。値の選択の方法を以下に説明する。
【００４７】
各サブフィールドの発光時間の比を２のべき乗になるようにとると、１２６から１２９までの階調値をそれぞれサブフィールドで表現すれば、図８に示すようになる。図８において、１２６及び１２７と、１２８及び１２９とではＭＳＢを使用するか否かが異なっており、サブフィールドの表現パターンが大きく変化する部分である。すなわち、動画像で互いの値が干渉すると疑似輪郭を生じやすい部分である。
【００４８】
そこで、メモリ部２３から読み出した情報を利用して、隣接する領域の値が１２６または１２７であるとすると、変換後の値も１２６または１２７とすることにより疑似輪郭妨害を目立ちにくくすることができる。
なお、１２６と１２７のいずれを選択するかは、元の入力の値に近いほうを選ぶようにする。
【００４９】
同様にして、隣接する領域の値が１２８または１２９であるとすると、変換後の値も１２８または１２９とすることにより疑似輪郭妨害を目立ちにくくすることができる。
なお、１２８と１２９のいずれを選択するかは、元の入力の値に近いほうを選ぶようにする。
【００５０】
階調変換部２６の出力は、サブフィールド計算部２７において、各サブフィールドごとの重みづけに応じたサブフィールド分割が行われる。
【００５１】
以上のように、本発明の第３の実施形態によれば、入力された画像信号の階調値があらかじめ決められた特定の範囲に属さない場合はその値をそのまま出力し、その特定の範囲に属する場合は、メモリ部から読み出した情報を利用して、隣接する領域の値がサブフィールドの表現パターンが大きく変化する場合には、表示しようとする画素をその隣接する領域の値に変換するように構成される。
【００５２】
したがって、第１の実施形態と同様に、隣接する画素間の階調表現の差異を抑制することができ、疑似輪郭妨害の発生を抑制可能な画像表示装置であるプラズマディスプレイ装置を実現することができる。
【００５３】
次に、本発明の第４の実施形態について説明する。この第４の実施形態の第３の実施例と異なるところは、サブフィールド化処理部２の部分である。他の部分については第３の実施例形態と同様であるので、その説明は省略する。なお、この第４の実施形態も本発明をプラズマディスプレイ装置に適用した場合の例である。
【００５４】
図９は、本発明の第４の実施形態である画像表示装置におけるサブフィールド化処理部２の内部ブロック図である。
図９において、階調変換部２６では入力された画像信号に対し、以下に述べる変換を施す。すなわち、入力された画像信号の階調値があらかじめ決められた特定の範囲に属さない場合は、その値をそのまま出力し、その特定の範囲に属する場合は、その範囲内における他の階調値に変換する。
【００５５】
図７に示したグラフのように、例えば入力の値が１２６から１２９までの範囲に属する値であったとすると、出力を１２６から１２９までの範囲の値の中から１つを選択して出力する。値の選択の方法は、乱数発生部２５で発生させた乱数を利用し、ランダムに選択する。
【００５６】
サブフィールド計算部２７は、第３の実施形態と同様であるため、その説明は省略する。
【００５７】
以上のように、本発明の第４の実施形態によれば、第３の実施形態と同様に、隣接する画素間の階調表現の差異を抑制することができ、疑似輪郭妨害の発生を抑制可能な画像表示装置であるプラズマディスプレイ装置を実現することができる。
【００５８】
上述した実施形態の他の例としては、第１の実施形態又は第２の実施形態と、第３の実施形態又は第４の実施形態とを組み合わせた例が考えられる。この場合には、入力された画像信号の階調値があらかじめ決められた特定の範囲に属さない場合は、その値を第１の実施形態又は第２の実施形態の信号処理を行う。そして、入力された画像信号の階調値があらかじめ決められた特定の範囲に属する場合は、第３の実施形態又は第４の実施形態の信号処理を行う。
【００５９】
なお、上述した各実施形態において、例として用いたサブフィールド毎の発光時間の比や、サブフィールド数は、それらに限定されるものではない。
【００６０】
また、第３および第４の実施例における階調変換を行う値の範囲も本文中に例示した値に限定されるものではない。
【００６１】
さらに、上述した例は、本発明をプラズマディスプレイ装置に適用した場合の例であるが、本発明は、プラズマディスプレイ装置に限らず、１フレームの画像を複数のサブフィールドに分割し、各サブフィールドにおける輝度と発光時間との積である発光量を、複数のサブフィールドで合計することにより階調を表現する画像表示装置であれば、他の装置にも適用可能である。
【００６２】
【発明の効果】
本発明は、以上説明したように構成されているので、次のような効果がある。１フレームの画像を複数のサブフレームに分割し各画素の階調に応じて必要なサブフィールドのみ選択的に発光させて異なる階調を表現する画像表示装置において、所定の階調を表現するために、複数のサブフィールドのうちのどのサブフィールドを表示させるかの組み合わせを少なくとも２種類以上有する。そして、所定の階調を表現する場合には、その階調を表現する画素の周辺に位置する画素の階調表現と、近い方の組み合わせによる表現を選択する。
【００６３】
従って、隣接する画素間の階調表現の差異を抑制することができ、疑似輪郭妨害の発生を抑制可能な画像表示装置を実現することができる。
【００６４】
また、サブフィールドの２種類の組み合わせを、無作為に選択するように構成しても、疑似輪郭妨害の発生を抑制可能な画像表示装置を実現することができる。
【００６５】
また、入力された画像信号の階調値があらかじめ決められた特定の範囲に属さない場合はその値をそのまま出力し、その特定の範囲に属する場合は、メモリ部から読み出した情報を利用して、隣接する領域の値がサブフィールドの表現パターンが大きく変化する場合には、表示しようとする画素をその隣接する領域の値に変換するように構成しても、疑似輪郭妨害の発生を抑制可能な画像表示装置を実現することができる。
【００６６】
また、入力された画像信号の階調値があらかじめ決められた特定の範囲に属さない場合はその値をそのまま出力し、その特定の範囲に属する場合は、無作為にその特定の範囲に属する値を選択するように構成しても、疑似輪郭妨害の発生を抑制可能な画像表示装置を実現することができる。
【図面の簡単な説明】
【図１】本発明の第１の実施形態である画像表示装置の要部構成図である。
【図２】第１の実施形態である画像表示装置の全体概略構成図である。
【図３】サブフィールドの分割方法の一例を示す図である。
【図４】階調レベル表現方法の選択を説明する図である。
【図５】本発明の第２の実施形態である画像表示装置の要部構成図である。
【図６】本発明の第３の実施形態である画像表示装置の要部構成図である。
【図７】階調変換部の入出力関係を示すグラフである。
【図８】階調レベル表現方法の選択を説明する図である。
【図９】本発明の第４の実施形態である画像表示装置の要部構成図である。
【図１０】サブフィールドの分割を説明する図である。
【図１１】疑似輪郭妨害を説明する図である。
【符号の説明】
１  プラズマディスプレイ装置
２  サブフィールド化処理部
３  駆動回路
４  ディスプレイパネル
２２  サブフィールド候補計算部
２３  メモリ部
２４  サブフィールド割当て決定部
２５  乱数発生部
２６  階調変換部
２７  サブフィールド計算部
【図１】
0004094089.tif 000002
【図２】
0004094089.tif 000003
【図３】
0004094089.tif 000004
【図４】
0004094089.tif 000005
【図５】
0004094089.tif 000006
【図６】
0004094089.tif 000007
【図７】
0004094089.tif 000008
【図８】
0004094089.tif 000009
【図９】
0004094089.tif 000010
【図１０】
0004094089.tif 000011
【図１１】
0004094089.tif 000012